(57)【要約】【課題】機器情報の収集に関する管理者の負担を軽減する中継機器及びネットワーク管理方法を提供する。【解決手段】パケットを送受信する複数のポート１０２と、管理端末からのパケットを受信したとき、該パケットが機器情報収集指令であることを解釈する機器情報収集指令解釈部１０３と、機器情報収集指令に応じてネットワーク上の他の中継機器に機器情報問い合わせのパケットを送信して機器情報回答を要求する機器情報要求部１０４と、機器情報回答の要求に応じ回答のパケットを送信する機器情報回答部１０５と、回答のパケットから他の中継機器の機器情報を収集する機器情報収集部１０６と、収集した中継機器の機器情報と自機の機器情報とをパケットに書き込んで管理端末に返信する収集情報返信部１０７とを備える。【選択図】図１
2010049459.tif 000002
【特許請求の範囲】
【請求項１】
パケットを送受信する複数のポートと、
管理端末からのパケットを受信したとき、該パケットがネットワーク上にある複数の中継機器の機器情報を収集するという機器情報収集指令であることを解釈する機器情報収集指令解釈部と、
上記機器情報収集指令に応じてネットワーク上の他の中継機器に機器情報問い合わせのパケットを送信して機器情報回答を要求する機器情報要求部と、
上記機器情報回答の要求に応じ回答のパケットを送信する機器情報回答部と、
上記回答のパケットから他の中継機器の機器情報を収集する機器情報収集部と、
収集した中継機器の機器情報と自機の機器情報とをパケットに書き込んで管理端末に返信する収集情報返信部とを備えたことを特徴とする中継機器。
【請求項２】
上記機器情報要求部は、直接ポート同士が接続されている隣接の中継機器に該中継機器のアドレスを問い合わせる隣接中継機器アドレス問い合わせ部と、アドレスが既知の中継機器に対しその中継機器に隣接する中継機器のアドレスを問い合わせる間接的隣接中継機器アドレス問い合わせ部と、アドレスが回答されてきたパケットに自機のアドレスが書き込まれていたときアドレスの問い合わせを終了するアドレス問い合わせ終了判定部と、回答された隣接中継機器のアドレス及び間接的隣接中継機器のアドレスを用いて機器情報問い合わせのパケットを作成する機器情報問い合わせパケット作成部とを備え、
上記機器情報回答部は、問い合わされた自機のアドレスをパケットに書き込んで回答する自機アドレス回答部と、問い合わされた隣接する中継機器のアドレスをパケットに書き込んで回答する隣接機アドレス回答部と、問い合わされた自機の機器情報をパケットに書き込んで回答する自機機器情報回答部とを備えることを特徴とする請求項１記載の中継機器。
【請求項３】
ネットワーク上の複数の中継機器の機器情報を管理端末に収集するネットワーク管理方法において、
上記管理端末からネットワーク上の１つの中継機器に対しネットワーク上にある複数の中継機器の機器情報を収集するという機器情報収集指令をパケットにより送信し、
この機器情報収集指令のパケットを受信した中継機器がネットワーク上の他の中継機器に機器情報問い合わせのパケットを送信して機器情報回答を要求し、
上記機器情報問い合わせのパケットを受信したネットワーク上の他の中継機器が上記機器情報回答の要求に応じ自機の機器情報をパケットに書き込んで回答し、
上記管理端末から機器情報収集指令を受けた中継機器が上記回答のパケットを受信することで他の中継機器の機器情報を収集し該他の中継機器の機器情報と自機の機器情報とをパケットに書き込んで上記管理端末に返信することを特徴とするネットワーク管理方法。
【発明の詳細な説明】
【技術分野】
【０００１】
本発明は、機器情報の収集に関する管理者の負担を軽減する中継機器及びネットワーク管理方法に関する。
【背景技術】
【０００２】
ネットワークには複数の中継機器が使用される。ネットワークを管理する管理者はネットワークに管理端末を接続し、この管理端末から任意の中継機器にアクセスすることでその中継機器の機器情報を知ることができる。
【０００３】
【特許文献１】特開２００５−３８２９６号公報
【特許文献２】特開２００８−２８８２２号公報
【発明の開示】
【発明が解決しようとする課題】
【０００４】
管理者がネットワーク上の複数の中継機器の機器情報（例えば、リングプロトコルやツリープロトコルなどのプロトコルにより複数の中継装置が連携して動作している場合の各中継機器のプロトコルによる動作設定情報（ポートの設定情報他）など）を知るためには、管理端末から１つの中継機器にアクセスしてその中継機器の機器情報を得た後、別の１つの中継機器にアクセスしてその中継機器の機器情報を得るというようにして、個別にアクセスして個別に機器情報を取得しなければならない。
【０００５】
このため、機器情報を知りたい中継機器の個数が多くなると、管理者が管理端末を操作する手間が多くなる。
【０００６】
また、管理端末から中継機器に機器情報の問い合わせを行うプロトコルとしてＳＮＭＰ（Simple Network Management Protocol）が知られているが、ＳＮＭＰでは、１つのパケットで１項目の機器情報を問い合わせることしかできない。このため、複数項目の機器情報を問い合わせるには、問い合わせのパケットを複数送信することになるが、１つの問い合わせのパケットに対する返信が戻ってから、次の１つの問い合わせのパケットを送信するという手順になる。このように、複数項目の機器情報を問い合わせるときは、複数回問い合わせを行うことになるので、管理者が行う操作が煩雑となる。従って、複数の中継機器について複数項目の機器情報を知ろうとすると、管理者の手間は膨大になる。
【０００７】
そこで、本発明の目的は、上記課題を解決し、機器情報の収集に関する管理者の負担を軽減する中継機器及びネットワーク管理方法を提供することにある。
【課題を解決するための手段】
【０００８】
上記目的を達成するために本発明の中継機器は、パケットを送受信する複数のポートと、管理端末からのパケットを受信したとき、該パケットがネットワーク上にある複数の中継機器の機器情報を収集するという機器情報収集指令であることを解釈する機器情報収集指令解釈部と、上記機器情報収集指令に応じてネットワーク上の他の中継機器に機器情報問い合わせのパケットを送信して機器情報回答を要求する機器情報要求部と、上記機器情報回答の要求に応じ回答のパケットを送信する機器情報回答部と、上記回答のパケットから他の中継機器の機器情報を収集する機器情報収集部と、収集した中継機器の機器情報と自機の機器情報とをパケットに書き込んで管理端末に返信する収集情報返信部とを備えたものである。
【０００９】
上記機器情報要求部は、直接ポート同士が接続されている隣接の中継機器に該中継機器のアドレスを問い合わせる隣接中継機器アドレス問い合わせ部と、アドレスが既知の中継機器に対しその中継機器に隣接する中継機器のアドレスを問い合わせる間接的隣接中継機器アドレス問い合わせ部と、アドレスが回答されてきたパケットに自機のアドレスが書き込まれていたときアドレスの問い合わせを終了するアドレス問い合わせ終了判定部と、回答された隣接中継機器のアドレス及び間接的隣接中継機器のアドレスを用いて機器情報問い合わせのパケットを作成する機器情報問い合わせパケット作成部とを備え、上記機器情報回答部は、問い合わされた自機のアドレスをパケットに書き込んで回答する自機アドレス回答部と、問い合わされた隣接する中継機器のアドレスをパケットに書き込んで回答する隣接機アドレス回答部と、問い合わされた自機の機器情報をパケットに書き込んで回答する自機機器情報回答部とを備えてもよい。
【００１０】
また、本発明のネットワーク管理方法は、ネットワーク上の複数の中継機器の機器情報を管理端末に収集するネットワーク管理方法において、上記管理端末からネットワーク上の１つの中継機器に対しネットワーク上にある複数の中継機器の機器情報を収集するという機器情報収集指令をパケットにより送信し、この機器情報収集指令のパケットを受信した中継機器がネットワーク上の他の中継機器に機器情報問い合わせのパケットを送信して機器情報回答を要求し、上記機器情報問い合わせのパケットを受信したネットワーク上の他の中継機器が上記機器情報回答の要求に応じ自機の機器情報をパケットに書き込んで回答し、上記管理端末から機器情報収集指令を受けた中継機器が上記回答のパケットを受信することで他の中継機器の機器情報を収集し該他の中継機器の機器情報と自機の機器情報とをパケットに書き込んで上記管理端末に返信するものである。
【発明の効果】
【００１１】
本発明は次の如き優れた効果を発揮する。
【００１２】
（１）機器情報の収集に関する管理者の負担を軽減することができる。
【発明を実施するための最良の形態】
【００１３】
以下、本発明の一実施形態を添付図面に基づいて詳述する。
【００１４】
図１に示されるように、本発明に係る中継機器１０１は、パケットを送受信する複数のポート１０２と、管理端末からのパケットを受信したとき、該パケットがネットワーク上にある複数の中継機器の機器情報を収集するという機器情報収集指令であることを解釈する機器情報収集指令解釈部１０３と、上記機器情報収集指令に応じてネットワーク上の他の中継機器に機器情報問い合わせのパケットを送信して機器情報回答を要求する機器情報要求部１０４と、上記機器情報回答の要求に応じ回答のパケットを送信する機器情報回答部１０５と、上記回答のパケットから他の中継機器の機器情報を収集する機器情報収集部１０６と、収集した中継機器の機器情報と自機の機器情報とをパケットに書き込んで管理端末に返信する収集情報返信部１０７とを備える。
【００１５】
中継機器１０１は、ポート１０２に到着したパケットをアドレスに従って他のポート１０２に転送する転送制御部１３１、自機の機器情報を記憶している自機機器情報メモリ１３２、ソフトウェアにより機器内のハードウェア制御や各種プロトコルの動作制御を行う中央制御部１３３を備えている。
【００１６】
中継機器１０１は、管理端末が従来の管理プロトコル（例えば、ＳＮＭＰ）を用いて機器情報を問い合わせてきた場合に回答できるように、従来の管理プロトコルを搭載する。
【００１７】
一方、機器情報収集指令解釈部１０３は、本発明の管理プロトコルとして中継機器１０１に搭載される。機器情報収集指令解釈部１０３は、ソフトウェアによる中央制御部１３３の動作により実現される。管理端末が送信する機器情報収集指令のパケットには、そのパケットが機器情報収集指令のパケットであることを示す識別子が書き込まれる。機器情報収集指令解釈部１０３は、この識別子をパケットから抽出して該パケットが機器情報収集指令であることを解釈するものである。
【００１８】
機器情報要求部１０４は、他の中継機器に機器情報問い合わせのパケットを送信するものであり、ソフトウェアによる中央制御部１３３の動作により実現される。使用するパケットは、従来からある管理プロトコル（例えば、ＴＥＬＮＥＴ、ＬＬＤＰ（Link Layer Discovery Protocol）、ＳＮＭＰ）のパケットでよい。ＬＬＤＰは、中継機器と中継機器同士が接続しているポート間において相互の中継機器のＩＰアドレスを知るためのプロトコルである。ＳＮＭＰは、中継機器に機器情報の問い合わせを行うプロトコルである。
【００１９】
詳しくは、機器情報要求部１０４は、図２（ａ）に示されるように、直接ポート同士が接続されている隣接の中継機器に該中継機器のアドレスを問い合わせる隣接中継機器アドレス問い合わせ部１１１と、アドレスが既知の中継機器に対しその中継機器に隣接する中継機器のアドレスを問い合わせる間接的隣接中継機器アドレス問い合わせ部１１２と、アドレスが回答されてきたパケットに自機のアドレスが書き込まれていたときアドレスの問い合わせを終了するアドレス問い合わせ終了判定部１１３と、回答された隣接中継機器のアドレス及び間接的隣接中継機器のアドレスを用いて機器情報問い合わせのパケットを作成する機器情報問い合わせパケット作成部１１４とを備える。
【００２０】
機器情報回答部１０５は、後述する機器情報収集の手順中、他の中継機器（管理端末から機器情報収集指令を受けた中継機器以外の中継機器）において稼働する部分である。本発明では、ネットワーク上の全ての中継機器に本発明の全ての構成を備えることで、管理端末が任意の１つの中継機器に対して全ての中継機器の機器情報を収集するよう指令することができるように構成できる。このために、中継機器１０１には、機器情報収集指令解釈部１０３、機器情報要求部１０４、機器情報収集部１０６、収集情報返信部１０７と共に機器情報回答部１０５を備える。機器情報回答部１０５は、ソフトウェアによる中央制御部１３３の動作により実現される。
【００２１】
詳しくは、機器情報回答部１０５は、図２（ｂ）に示されるように、問い合わされた自機のアドレスをパケットに書き込んで回答する自機アドレス回答部１２１と、問い合わされた隣接する中継機器のアドレスをパケットに書き込んで回答する隣接機アドレス回答部１２２と、問い合わされた自機の機器情報をパケットに書き込んで回答する自機機器情報回答部１２３とを備える。
【００２２】
機器情報収集部１０６は、機器情報要求部１０４が送信した機器情報問い合わせのパケットに対する回答のパケットがポート１０２に受信されるたびに、回答してきた中継機器のアドレスに対応させて機器情報を記憶することで、各中継機器の機器情報を収集するようになっている。機器情報収集部１０６は、ソフトウェアによる中央制御部１３３の動作により実現される。
【００２３】
収集情報返信部１０７は、機器情報収集部１０６が収集した中継機器の機器情報と自機の機器情報とをパケットに書き込んで管理端末に返信するものである。収集情報返信部１０７は、ソフトウェアによる中央制御部１３３の動作により実現される。
【００２４】
中継機器１０１は、収集したネットワーク上にある複数の中継機器の機器情報を所定の整理規則に従って整理する機器情報整理部１０８を備える。
【００２５】
図３に本発明のネットワーク管理方法で管理を行うネットワークを示す。
【００２６】
このネットワーク３０１は、４台の本発明に係る中継機器１０１が１つずつ順次接続されてループを形成しているループ状ネットワークである。中継機器Ａと中継機器Ｂとはポート同士が直接伝送路で接続されている。この状態を隣接と呼ぶことにする。中継機器Ａから見ると、中継機器Ｂと中継機器Ｄが自身に隣接している。中継機器Ｂから見ると、中継機器Ｃと中継機器Ａが自身に隣接している。中継機器Ａから見て中継機器Ｃは隣接していないが、中継機器Ｃは中継機器Ｂに隣接しているので、中継機器Ａから見た中継機器Ｃの状態を間接的隣接と呼ぶことにする。
【００２７】
管理端末は、どの中継機器１０１に接続されても、このネットワーク上に存在することになる。以下では、管理端末が中継機器Ａに機器情報収集指令のパケットを送信するが、管理端末が中継機器Ａに直接接続されている（管理端末と中継機器Ａのポートが伝送路で接続されている）とは限らない。管理端末が他の中継機器に直接接続されている場合でも、中継機器Ａ宛てに機器情報収集指令のパケットを送信すれば、中継機器Ａが機器情報収集指令のパケットを受信することになる。
【００２８】
以下、このネットワークにおける機器情報収集の手順を説明する。
【００２９】
ステップＳ１；管理端末から中継機器Ａに対し機器情報収集指令のパケットを送信する。図４（ａ）に示されるように、機器情報収集指令のパケットは、ＴＣＰヘッダとＴＥＬＮＥＴパケットとからなる。パケットが機器情報収集指令のパケットであることを示す識別子は、ＴＣＰヘッダ又はＴＥＬＮＥＴパケットに書き込まれる。
【００３０】
中継機器Ａでは、管理端末からのパケットを受信したとき、機器情報収集指令解釈部１０３が上記識別子を認識することにより、このパケットが機器情報収集指令であることを解釈する。
【００３１】
ステップＳ２；中継機器Ａでは、機器情報要求部１０４がネットワーク上の他の中継機器に対する機器情報問い合わせを開始する。
【００３２】
詳しく述べると、機器情報要求部１０４では、まず、隣接中継機器アドレス問い合わせ部１１１がＬＬＤＰにより、隣接の中継機器に該中継機器のＩＰアドレスを問い合わせる。ここでは、中継機器Ａに隣接している中継機器Ｂと中継機器Ｄのうち中継機器Ｂがランダムに選ばれたものとする。中継機器Ａから中継機器Ｂには、図４（ｂ）に示されるように、ＬＬＤＰの要求パケットが送信される。中継機器Ｂの機器情報回答部１０５では、自機アドレス回答部１２１がこれに回答して図４（ｃ）に示されるように、問い合わされた自機のＩＰアドレスをＬＬＤＰの回答パケットに書き込んで中継機器Ａに送信する。この結果、中継機器Ａは中継機器ＢのＩＰアドレスを知る。
【００３３】
機器情報問い合わせパケット作成部１１４は、中継機器ＢのＩＰアドレスを用いＳＮＭＰにより中継機器Ｂの機器情報を取得しようとする。これにより、中継機器Ａから中継機器Ｂに対し、図４（ｄ）に示されるように、ＳＮＭＰの要求パケットが送信される。中継機器Ｂの機器情報回答部１０５では、自機機器情報回答部１２３が問い合わされた自機の機器情報を自機機器情報メモリ１３２から読み出し、図４（ｅ）に示されるように、自機の機器情報をＳＮＭＰの回答パケットに書き込んで回答する。
【００３４】
ＳＮＭＰでは１つのパケットで１項目の機器情報を問い合わせることしかできない。そこで、中継機器Ａの機器情報問い合わせパケット作成部１１４と中継機器Ｂの自機機器情報回答部１２３との間では、必要な項目の数だけＳＮＭＰパケットのやり取りを繰り返す。なお、必要な項目は、管理端末から中継機器Ａに対し送信される機器情報収集指令のパケットに書き込まれているので、中継機器Ａに伝わる。必要な項目が全て終わるまでＳＮＭＰパケットのやり取りが繰り返される。このようにして、中継機器Ｂについての機器情報の収集が終わる。
【００３５】
機器情報要求部１０４の間接的隣接中継機器アドレス問い合わせ部１１２は、ＩＰアドレスが既知である中継機器Ｂに対し中継機器Ｂに隣接する中継機器のＩＰアドレスをＳＮＭＰにより問い合わせる。中継機器Ａから中継機器Ｂには、図４（ｆ）に示されるように、ＳＮＭＰの要求パケットが送信される。中継機器Ｂの機器情報回答部１０５では、隣接機アドレス回答部１２２がこれに回答して図４（ｇ）に示されるように、問い合わされた隣接する中継機器ＣのＩＰアドレスをＳＮＭＰの回答パケットに書き込んで中継機器Ａに送信する。中継機器Ｂが中継機器ＣのＩＰアドレスを保持していないときは、中継機器ＢはＬＬＤＰにより中継機器ＣのＩＰアドレスを取得する。この場合、図４（ｂ）、（ｃ）と同様に、中継機器Ｂから中継機器Ｃへ中継機器ＣのＩＰアドレスを要求するＬＬＤＰの要求パケットを送信し、中継機器Ｃから中継機器Ｂへ中継機器ＣのＩＰアドレスを書き込んだＬＬＤＰの回答パケットを返信する。この結果、中継機器Ａは中継機器ＣのＩＰアドレスを知る。
【００３６】
また、このときアドレス問い合わせ終了判定部１１３は、中継機器ＢからのＳＮＭＰの回答パケットに自機である中継機器ＡのＩＰアドレスが書き込まれていないので、アドレスの問い合わせを終了しない。
【００３７】
機器情報問い合わせパケット作成部１１４は、中継機器ＣのＩＰアドレスを用いＳＮＭＰにより中継機器Ｃの機器情報を取得しようとする。その詳細な流れは、中継機器Ｂについての機器情報収集の流れと同様であるので、説明は省略する。このようにして、中継機器Ｃについての機器情報の収集が終わる。
【００３８】
同様にして、中継機器Ａは、中継機器Ｃからその隣接機である中継機器ＤのＩＰアドレスを知り、中継機器Ｄについての機器情報の収集を行う。
【００３９】
間接的隣接中継機器アドレス問い合わせ部１１２が中継機器Ｄに対し中継機器Ｄに隣接する中継機器のＩＰアドレスをＳＮＭＰにより問い合わせる。中継機器Ｄの隣接機アドレス回答部１２２は中継機器ＡのＩＰアドレスを回答する。
【００４０】
アドレス問い合わせ終了判定部１１３は、中継機器ＤからＩＰアドレスが回答されてきたＳＮＭＰパケットに自機である中継機器ＡのＩＰアドレスが書き込まれているため、アドレスの問い合わせを終了する。
【００４１】
ステップＳ２の間、機器情報収集部１０６は、回答のパケットから他の中継機器Ｂ，Ｃ，Ｄの機器情報を収集する。また、機器情報整理部１０８は、収集したネットワーク上にある複数の中継機器Ｂ，Ｃ，Ｄの機器情報を所定の整理規則に従って整理する。例えば、ある項目の機器情報を全ての中継機器について数値の大きい順、数値の小さい順、日付の早い順、日付の遅い順、優先度の高い順、優先度の低い順、アルファベット順などでソートして整理する。
【００４２】
ステップＳ３；中継機器Ａにおいて、収集情報返信部１０７は、収集した中継機器Ｂ，Ｃ，Ｄの機器情報と自機（中継機器Ａ）の機器情報とをパケットに書き込んで管理端末に返信する。図４（ｈ）に示されるように、機器情報返信のパケットは、ＴＣＰヘッダとＴＥＬＮＥＴパケットとからなる。パケットが機器情報返信のパケットであることを示す識別子は、ＴＣＰヘッダ又はＴＥＬＮＥＴパケットに書き込まれる。また、各中継機器Ａ，Ｂ，Ｃ，Ｄの機器情報はＴＥＬＮＥＴパケットのデータ領域に書き込まれる。
【００４３】
管理端末は、返信されたパケットを受信することにより、ネットワーク３０１上の全中継機器の全項目にわたる機器情報を得ることができる。
【００４４】
以上本発明によれば、管理端末から機器情報収集指令を受けた中継機器がネットワーク上の複数の中継機器から機器情報を収集して管理端末に返信するので、管理者は、機器情報収集指令を入力する１回の操作をするだけで、全中継機器の全項目にわたる機器情報を得ることができる。これにより、機器情報の収集に関する管理者の負担を軽減することができる。
【００４５】
本発明は、従来の中継機器に本発明のためのソフトウェアを追加搭載するだけで実現でき、ハードウェアの追加が不要である。なお、問い合わせに用いる中継機器のアドレスや収集した機器情報を蓄積しておくメモリは必要となるが、これらは従来からあるメモリの一部を利用すればよく、特別にメモリを増設する必要はない。
【００４６】
本発明において、機器情報を要求する中継機器を見付けるために、既知の中継機器に対して隣接する中継機器のアドレスを問い合わせている。これは、ネットワークに新しい中継機器が加入したり、ネットワーク中の中継機器が離脱したりするなどして、絶えずその接続状態を変化させているからである。本発明では、順次、隣接する中継機器のアドレスを取得しながら機器情報を問い合わせるので、接続状態の変化に対応して全ての中継機器から機器情報を得ることができる。また、管理者はネットワーク上の全ての中継機器についてアドレスを知っている必要はなく、１台の中継機器についてアドレスを知っていればよい。
【００４７】
図３のネットワーク３０１はループ状ネットワークであるが、本発明はツリー状ネットワークにも適用することができる。例えば、図３のネットワークの構成において、中継機器Ｃと中継機器Ｄが接続されておらず、中継機器Ａから中継機器Ｂと中継機器Ｄへの２つの枝が分かれているとする。この場合、中継機器Ａは上記の手順により中継機器Ｂ，Ｃの機器情報を取得したのち、中継機器Ｃから隣接する機器はない旨の図４（ｇ）のＳＮＭＰの回答パケットを受信する。これにより、中継機器Ａは中継機器Ｄから上記の手順により機器情報を取得するよう動作する。
【図面の簡単な説明】
【００４８】
【図１】本発明の一実施形態を示す中継機器の内部構成図である。
【図２】（ａ）は図１の中継機器の機器情報要求部の詳細図、（ｂ）は図１の中継機器の機器情報回答部の詳細図である。
【図３】本発明の一実施形態を示すネットワークの構成図である。
【図４】（ａ）〜（ｈ）は、本発明のネットワーク管理方法において使用されるパケットの構成図である。
【符号の説明】
【００４９】
１０１  中継機器
１０２  ポート
１０３  機器情報収集指令解釈部
１０４  機器情報要求部
１０５  機器情報回答部
１０６  機器情報収集部
１０７  機器情報返信部
１０８  機器情報整理部
１１１  隣接中継機器アドレス問い合わせ部
１１２  間接的隣接中継機器アドレス問い合わせ部
１１３  アドレス問い合わせ終了判定部
１１４  機器情報問い合わせパケット作成部
１２１  自機アドレス回答部
１２２  隣接機アドレス回答部
１２３  自機機器情報回答部
１３３  中央制御部
【図１】
2010049459.tif 000003
【図２】
2010049459.tif 000004
【図３】
2010049459.tif 000005
【図４】
2010049459.tif 000006